(57)【特許請求の範囲】
【請求項１】
所定値以上の濃度の酸素、炭酸ガス、又は酸素と炭酸ガスの混合ガス（以下、「ガス」という）を生体頭部の皮膚又は粘膜に接触させるための装置であって、
前記ガスと液体を粉砕溶解したミスト（以下、「ガスミスト」という）を生成、供給するガスミスト生成手段と、
圧縮空気を供給する圧縮空気供給手段と、
生体頭部を覆う形状を有する生体マスク部材と、から構成され、
前記生体マスク部材は、
使用者の呼吸を確保するための開口と、
前記開口の周囲に設けられて前記生体マスク部材の内部の密閉性を高めるために使用者の皮膚又は粘膜に粘着する素材で構成される接着部と、
前記ガスミスト生成手段に接続されて供給されるガスミストを封入する第１の密閉層と、
前記圧縮空気供給手段に接続されて供給される圧縮空気を封入する第２の密閉層と、を有し、
前記第２の密閉層により、前記第１の密閉層内のガスミストを所定の圧力値以上で生体頭部の皮膚又は粘膜に接触させることを特徴とするガスミスト圧浴装置。
【請求項２】
所定値以上の濃度の酸素、炭酸ガス、又は酸素と炭酸ガスの混合ガス（以下、「ガス」という）を生体頭部の皮膚又は粘膜に接触させるための装置であって、
前記ガスと液体を粉砕溶解したミスト（以下、「ガスミスト」という）を生成、加圧供給するガスミスト生成手段と、
生体頭部を覆う形状を有すると共に、前記ガスミスト生成手段に接続されて供給されるガスミストを封入する密閉層を形成する生体マスク部材と、から構成され、
前記生体マスク部材は、
使用者の呼吸を確保するための開口と、
前記開口の周囲に設けられて前記生体マスクの内部の密閉性を高めるために使用者の皮膚又は粘膜に粘着する素材で構成される接着部と、を有して、
前記密閉層内のガスミストを所定の圧力値以上で生体頭部の皮膚又は粘膜に接触させることを特徴とするガスミスト圧浴装置。
【請求項３】
前記生体マスク部材が、少なくとも生体の前頭部、頭頂部、後頭部、側頭部及び顔面を覆う頭巾形状であることを特徴とする請求項１又は２に記載のガスミスト圧浴装置。
【請求項４】
前記生体マスク部材は、その着脱部にゴム、紐、又は面ファスナーのうち何れか一つ又は複数の組み合わせから形成される締め付け手段が設けられ、これにより前記ガスミストの大気中への放散を防止することを特徴とする請求項１又は２に記載のガスミスト圧浴装置。
【請求項５】
前記液体は、水、イオン水、生理食塩水、又は薬剤を含有する液体のうち何れか一つ又は複数の組み合わせであることを特徴とする請求項１又は２に記載のガスミスト圧浴装置。
【請求項６】
前記薬剤は、メンソール、ビタミンＥ、ビタミンＣ誘導体、レチノール、麻酔薬、シクロデキストリン、光触媒とアパタイトの複合体、ヒアルロン酸、コエンザイムＱ１０、シードオイル、プロポリス、高濃度炭酸泉剤、抗アレルギー剤、抗炎症剤、解熱鎮痛剤、抗真菌剤、抗がん剤、抗不整脈剤又は抗インフルエンザウィルス剤の何れかであることを特徴とする請求項５に記載のガスミスト圧浴装置。
【請求項７】
前記圧縮空気供給手段が、前記圧縮空気によってインターバル加圧を行うことを特徴とする請求項１又は２に記載のガスミスト圧浴装置。
【請求項８】
前記ガスミスト生成装置が、前記ガスミストをインターバルを置いて加圧供給することを特徴とする請求項７に記載のガスミスト圧浴装置。
【請求項９】
前記ガスミスト生成装置は、ガスを封入したガスボンベが挿入されるガス挿入部と、液体を貯留する貯留部と、を備え、
前記ガスボンベ内のガスを気泡状にして前記貯留部内に放出させることにより、前記ガスミストを生成することを特徴とする請求項１又は２に記載のガスミスト圧浴装置。
【請求項１０】
前記液体は、摂氏４０度乃至７０度であることを特徴とする請求項９に記載のガスミスト圧浴装置。
【請求項１１】
前記圧縮空気供給手段が、ヒータ手段を備え、該ヒータ手段のオン／オフにより温風空気又は冷風空気を供給することを特徴とする請求項１又は２に記載のガスミスト圧浴装置。
【請求項１２】
前記圧縮空気供給手段から供給される空気圧は、１．０２乃至２．５気圧であることを特徴とする請求項１又は２に記載のガスミスト圧浴装置。
【請求項１３】
前記圧縮空気供給手段は、圧縮空気ボンベであることを特徴とする請求項１２に記載のガスミスト圧浴装置。
【請求項１４】
前記圧縮空気供給手段は、電気駆動されるコンプレッサであることを特徴とする請求項１２に記載のガスミスト圧浴装置。
【請求項１５】
前記圧縮空気供給手段は、手動の袋状の空気圧器であることを特徴とする請求項１２に記載のガスミスト圧浴装置。
【請求項１６】
前記ガスミスト生成手段から前記生体マスクの内部に供給されるガスミスト圧は、１．０２乃至２．５気圧であることを特徴とする請求項１又は２に記載のガスミスト圧浴装置。
【請求項１７】
前記ガスミスト生成手段から前記生体マスクの内部に供給されるガスミストの粒径は、１０μｍ以下であることを特徴とする請求項１又は２に記載のガスミスト圧浴装置。
【請求項１８】
前記ガスミスト生成手段が、前記生体マスクの内部へガスミストを供給するためのガスミスト供給管を有し、
該ガスミスト供給管が、管内に付着する液滴を除去するためのフィルターを備えることを特徴とする請求項１又は２に記載のガスミスト圧浴装置。
【請求項１９】
前記ガスミスト生成手段が、前記生体マスクの内部へガスミストを供給するためのガスミスト供給管を有し、
該ガスミスト供給管の全部又は一部がジャバラ状の管から構成されることを特徴とする請求項１又は２に記載のガスミスト圧浴装置。
【請求項２０】
前記ガスミスト生成手段が、前記生体マスクの内部へガスミストを供給するためのガスミスト供給管を有し、
該ガスミスト供給管に、逆止弁を設けることを特徴とする請求項１又は２に記載のガスミスト圧浴装置。
【請求項２１】
前記生体マスク部材の、ガスミストの供給口に逆止弁を設けることを特徴とする請求項１又は２に記載のガスミスト圧浴装置。
【発明の詳細な説明】
【技術分野】
【０００１】
本発明は、炭酸ガス、酸素、又は炭酸ガスと酸素の混合ガスと液体とを粉砕溶解したガスミストを生体の皮膚又は粘膜に直接接触させて血液循環を改善させるためのガスミスト圧浴装置に関する。
【背景技術】
【０００２】
従来から、炭酸ガス（二酸化炭素：ＣＯ２）は、水に溶けやすい（水溶性）だけでなく油にも溶けやすい（脂溶性）という性質を双方併せ持つおかげで、水と油の混じったような生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも注目を集めている。【０００３】
生体の組織中で二酸化炭素は、赤血球内のヘモグロビンに結合して運ばれた酸素を放出させる働きがある。二酸化炭素濃度の高いところでは、赤血球はより多くの酸素を放出する。このように、赤血球による細胞への酸素の供給は、主に二酸化炭素がコントロールしている。つまり、二酸化炭素なしでは、ヘモグロビンは酸素が結合したままの状態となり、細胞は酸素を受け取ることができなくなってしまう。このように、二酸化炭素は、細胞の活動の結果出てくる老廃物のように思われがちだが、実は体の中で非常に重要な役割を果たしている。【０００４】
また、近年では、高濃度酸素も、新陳代謝の活性、疲労回復、血圧の安定等に効果があることが広く知られている。【０００５】
炭酸ガスを人体の特定の部位、特に頭部（前頭部、頭頂部、後頭部、側頭部、顔面及び頚部）に吸収させるための技術としては、これまでに例えば、炭酸ガスを溶解させた温水を顔面に沿って流れ落とし、顔面皮膚から炭酸ガスを吸収させる美容機器（例えば、特許文献１）が開示されている。また、密閉可能な容器を人体の特定部位に装着し、その容器内に炭酸ガスを導入して炭酸ガス浴を行う装置（例えば、特許文献２乃至３）が開示されている。
【先行技術文献】
【特許文献】
【０００６】
【特許文献１】特開２００８−０１２２６８号公報
【特許文献２】特開平０７−１７１１８９号公報
【特許文献３】再公表特許ＷＯ２００４／００２３９３号公報
【発明の概要】
【発明が解決しようとする課題】
【０００７】
しかしながら、上記特許文献１に記載された美容機器では、容器に溜まった炭酸温水を下から上へポンプで送って重力で流れ落とすのを繰り返すため、温水に含まれる炭酸ガスが短時間で大気中へ放散してしまい、実際に顔面から経皮吸収される炭酸ガス量は少ないという問題があった。【０００８】
また、上記特許文献２乃至３に記載された炭酸ガス浴のための装置では、密閉された容器内で炭酸ガスを直接皮膚又は粘膜から効果的に吸収させることができるが、さらに高効率に炭酸ガス、酸素、又は炭酸ガスと酸素の混合ガスを経皮吸収できる装置が模索されてきた。【０００９】
本発明は、上記従来の問題点に鑑みて、炭酸ガス、酸素、又は炭酸ガスと酸素の混合ガスを所定値以上の圧力で生体頭部の皮膚又は粘膜に接触させて効率的に経皮吸収させることが可能なガスミスト圧浴装置を提供することを目的とする。
【課題を解決するための手段】
【００１０】
このため、本発明は、所定値以上の濃度の酸素、炭酸ガス、又は酸素と炭酸ガスの混合ガス（以下、「ガス」という）を生体頭部の皮膚又は粘膜に接触させるための装置であって、前記ガスと液体を粉砕溶解したミスト（以下、「ガスミスト」という）を生成、供給するガスミスト生成手段と、圧縮空気を供給する圧縮空気供給手段と、生体頭部を覆う形状を有する生体マスク部材と、から構成され、前記生体マスク部材は、使用者の呼吸を確保するための開口と、前記開口の周囲に設けられて前記生体マスクの内部の密閉性を高めるために使用者の皮膚又は粘膜に粘着する素材で構成される接着部と、使用者の視界を確保するための窓部と、前記ガスミスト生成手段に接続されて供給されるガスミストを封入する第１の密閉層と、前記圧縮空気供給手段に接続されて供給される圧縮空気を封入する第２の密閉層と、を有し、前記第２の密閉層により、前記第１の密閉層内のガスミストを所定の圧力値以上で生体頭部の皮膚又は粘膜に接触させることを特徴とするガスミスト圧浴装置を提供する。
【００１１】
あるいは、本発明は、所定値以上の濃度の酸素、炭酸ガス、又は酸素と炭酸ガスの混合ガス（以下、「ガス」という）を生体頭部の皮膚又は粘膜に接触させるための装置であって、前記ガスと液体を粉砕溶解したミスト（以下、「ガスミスト」という）を生成、加圧供給するガスミスト生成手段と、生体頭部を覆う形状を有すると共に、前記ガスミスト生成手段に接続されて供給されるガスミストを封入する密閉層を形成する生体マスク部材と、から構成され、前記生体マスク部材は、使用者の呼吸を確保するための開口と、前記開口の周囲に設けられて前記生体マスクの内部の密閉性を高めるために使用者の皮膚又は粘膜に粘着する素材で構成される接着部と、使用者の視界を確保するための窓部と、を有して、前記密閉層内のガスミストを所定の圧力値以上で生体頭部の皮膚又は粘膜に接触させることを特徴とするガスミスト圧浴装置を提供する。
【００１２】
なお、本願においては、液体を粉砕し微細な液滴にして気体（炭酸ガス、酸素、又は炭酸ガスと酸素の混合ガス）と接触混合させることを、粉砕溶解という。【００１３】
また、本願で言う生体頭部とは、生体の前頭部、頭頂部、後頭部、側頭部及び顔面を包括的に含むものとする。【００１４】
そこで、前記生体圧浴マスクは、少なくとも生体の前頭部、頭頂部、後頭部、側頭部及び顔面を覆う頭巾形状とするのが良い。又は、少なくとも生体の顔面を覆うフェイスマスク形状とするのが良い。そして、前記生体圧浴マスクには、使用者の呼吸を確保するための開口を設ける。さらに、前記生体圧浴マスクの着脱部には、ゴム、紐、又は面ファスナーのうち何れか一つ又は複数の組み合わせにから形成される締め付け手段を設け、これにより前記ガスミストが大気中へ放散することを防止する。【００１５】
一方、前記液体は、水、イオン水、生理食塩水、又は薬剤を含有する液体のうち何れか一つ又は複数の組み合わせを用いるのが好適である。そして、前記薬剤は、メンソール、ビタミンＥ、ビタミンＣ誘導体、レチノール、麻酔薬、シクロデキストリン、光触媒とアパタイトの複合体、ヒアルロン酸、コエンザイムＱ１０、シードオイル、プロポリス、高濃度炭酸泉剤、抗アレルギー剤、抗炎症剤、解熱鎮痛剤、抗真菌剤、抗がん剤、抗不整脈剤又は抗インフルエンザウィルス剤の何れかであるのが良い。【００１６】
次に、前記圧縮空気供給手段は、前記圧縮空気によりインターバル加圧（パルス加圧）を行う。あるいは、前記ガスミスト生成装置が、前記ガスミストをインターバルを置いて加圧供給する。【００１７】
また、前記ガスミスト生成装置は、ガスを封入したガスボンベが挿入されるガス挿入部と、液体を受け入れる貯留部と、を備え、前記ガスボンベ内のガスを気泡状にして前記貯留部内に放出させることにより、前記ガスミストを生成する。このガスミスト生成装置内における液体の温度は、摂氏４０乃至７０度であるのが好適である。【００１８】
そして、前記圧縮空気供給手段は、ヒータ手段を備え、ヒータ手段のオン／オフにより温風空気又は冷風空気を供給するものとする。この圧縮空気供給手段から供給される空気圧は、１．０２乃至２．５気圧とするのが好ましい。【００１９】
ここで、前記圧縮空気供給手段は、（１）圧縮空気ボンベ、（２）電気駆動されるコンプレッサ、または（３）手動の袋状の空気圧器（例えば、血圧計に用いられる手動の空気袋、又は浮き輪等の空気入れとして用いられる足踏みタイプの空気圧器）を用いるのが良い。【００２０】
さらに、前記ガスミスト生成手段から前記生体マスク部材内に供給されるガスミスト圧は、１．０２乃至２．５気圧であるのが良い。【００２１】
なお、前記ガスミスト生成手段から前記生体マスク部材内に供給されるガスミストの粒径は、１０μｍ以下であるのが好適である。【００２２】
また、前記ガスミスト生成手段が、前記生体マスク部材内へガスミストを供給するためのガスミスト供給管を有し、このガスミスト供給管が、管内に付着する液滴を除去するためのフィルターを備えるようにするのが良い。さらにこのガスミスト供給管の全部又は一部は、ジャバラ状の管から構成されるのが好適である。また、このガスミスト供給管には、逆止弁を設けるのが良い。そして、前記生体マスク部材の、ガスミストの供給口にも逆止弁を設けるのが好適である。
【発明の効果】
【００２３】
本発明のガスミスト圧浴装置によれば、単にガスミストを生体頭部の皮膚又は粘膜に接触させるのではなく、所定の圧力値以上で接触させるため、皮膚又は粘膜からのガスの吸収効率を従来と比較して著しく向上させることができる。特に、生体頭部を覆う生体圧浴マスクを二層構造にすれば、加圧が容易になるだけではなく、ガスミストそのものの圧力を高める必要がないので大量のガスを必要とせずに経皮吸収を促進することができる。
【図面の簡単な説明】
【００２４】
【図１】本発明の第１の実施形態に係るガスミスト圧浴装置の断面模式図である。
【図２】本発明の第１の実施形態に係るガスミスト圧浴装置のガスミスト圧浴装置の生体圧浴マスクの正面図である。
【図３】本発明の第１の実施形態に係るガスミスト圧浴装置の生体圧浴マスクを実際に着用した状態を示す模式図である。
【図４】本発明の第１の実施形態に係るガスミスト圧浴装置のガスミストと皮膚又は粘膜の接触関係を示す要部拡大図である。
【図５】本発明の第１の実施形態に係るガスミスト圧浴装置のガスミスト生成装置の模式図である。
【図６】本発明の第２の実施形態に係るガスミスト圧浴装置の断面模式図である。
【図７】本発明の第２の実施形態に係るガスミスト圧浴装置の生体圧浴マスクを実際に着用した状態を示す模式図である。
【図８】本発明の第３の実施形態に係るガスミスト圧浴装置の断面模式図である。
【図９】本発明のガスミスト圧浴装置に用いられる接続管（ガスミスト供給管）の一例を示す模式図である。
【発明を実施するための形態】
【００２５】
以下、本発明の実施の形態について、図面を参照しながら詳細に説明する。
【００２６】
〔第１の実施形態〕
図１は、本発明の第１の実施形態に係るガスミスト圧浴装置の断面模式図、図２は、そのガスミスト圧浴装置の生体圧浴マスクの正面図である。また、図３は、その生体圧浴マスクを実際に着用した状態を示す模式図、図４は、ガス（炭酸ガス、酸素、又は炭酸ガスと酸素の混合ガス）と皮膚又は粘膜の接触関係を示す要部拡大図である。
【００２７】
本実施形態に係るガスミスト圧浴装置１０は、これらの図に示すように、ガスミストを生成、供給するガスミスト生成装置１１と、圧縮空気を供給するコンプレッサ１２と、使用者１の頭部（ここでは前頭部、頭頂部、後頭部、側頭部及び顔面）を覆って、その部位の皮膚又は粘膜（頭皮を含む）にガスミストを接触、吸収させるための生体圧浴マスク（生体マスク部材）１３から構成される。
【００２８】
生体圧浴マスク１３は、使用者１の皮膚又は粘膜との間にガスミストを充満させる内側マスク１３Ａと、その内側マスク１３Ａとの間に圧縮空気を充満させることにより内側マスク１３Ａ内のガスミストを加圧する外側マスク１３Ｂから構成される。この内側マスク１３Ａと外側マスク１３Ｂは、二層が一体に形成されている。
【００２９】
生体圧浴マスク１３には、着脱のための開口部に、ガスミストの漏出を防ぎ、マスク内を密閉するための止着部１８が設けられている。そこで内側マスク１３Ａ内にはガスミスト生成装置１１からのガスミストが、外側マスク１３Ｂ内にはコンプレッサ１２からの圧縮空気が、それぞれ接続管１６、１７を介して供給される。これにより、図４に示すように、内側マスク１３Ａと使用者１の皮膚又は粘膜２の間にはガスミスト層１４が、また、内側マスク１３Ａと外側マスク１３Ｂの間には圧縮空気からなる加圧層１５が形成される。加圧層１５は、ガスミスト層１４を外側から皮膚又は粘膜２に向かって加圧し、皮膚又は粘膜２からのガスの吸収を促進させる。
【００３０】
内側マスク１３Ａ及び外側マスク１３Ｂは、非通気非透湿性素材の織布又は不織布等からなる。例えば、ポリエチレン、ポリプロピレン、ポリ塩化ビニリデン、ポリスチレン、ポリ酢酸ビニル、ポリ塩化ビニル、ナイロン、ポリテトラフルオロエチレン等から構成される。
【００３１】
生体圧浴マスク１３に設けられた止着部１８は、適度な伸縮性があり使用者１の首にフィットする素材から構成され、使用者１の首の位置で止着して、内側マスク１３Ａ（ガスミスト層１４）内を密閉する。加圧層１５は、内側マスク１３Ａ及び外側マスク１３Ｂが止着部１８に接合されているため予め密閉性を有する構造となっている。ここで、止着部１８は、例えば、伸縮性のある面ファスナーにより構成されるのが好適である。また、止着部１８の内側面には、例えば粘弾性ゲルのような、使用者１の皮膚又は粘膜２に粘着する素材を設けて密閉性を高めても良い。このほか、止着部１８には紐やゴム等を単独、あるいは組み合わせて用いても良い。また、空気圧による締め付けで止着できる構造としても良い。
【００３２】
生体圧浴マスク１３には、装着している間にも使用者１が呼吸できるよう、使用者１の鼻に当たる位置に開口２０が設けられている。また、開口２０の周囲には、生体圧浴マスク１３内の密閉性を保つために接着部１９が設けられている。接着部１９は、例えば粘弾性ゲルのような、使用者１の皮膚又は粘膜２に粘着する素材から構成される。あるいは両面テープ等を使用の都度用いるように構成しても良い。使用の際は、まず使用者１の鼻孔の位置に開口２０を配置し、接着部１９を使用者１の鼻孔の周囲に粘着させて固定する。これにより使用者１の呼吸を確保すると共に開口２０からのガスミストの漏出を防ぐ。
【００３３】
生体圧浴マスク１３にはさらに、使用者１の視界を確保するための窓２１が設けられている。窓２１は、透明又は半透明の非通気非透湿性素材からなり、使用者１の目に当たる位置に設けられる。なお、使用するガスが炭酸ガス又は酸素と炭酸ガスの混合ガスの場合は、鼻部と同様に開口及び接着部を設ける構造としても良い。
【００３４】
なお、図１に示すように内側マスク１３Ａには、一方端がガスミスト生成装置１１に接続された接続管（ガスミスト供給管）１６の他端を接続するためのコネクタ１６Ａが設けられている。このコネクタ１６Ａの内部にはガスミストの逆流を防ぐための逆止弁が設けられている。また、外側マスク１３Ｂにも、一方端がコンプレッサ１２に接続された接続管１７の他端を接続するためのコネクタ１７Ａが設けられている。なお、接続管１６、１７の端部には図示しないがそれぞれタップが形成されており、捻じ込み式又は嵌め込み式でコネクタ１６Ａ、１７Ａに接続することが可能である。また、接続管１６、１７の内部にはガスミストの逆流を防ぐための逆止弁が設けられている。さらに接続管１６には、図示しないが管内に付着する余分な液滴を取り除くための液滴除去フィルターが設けられている。
【００３５】
また、接続管１６は、図９に示すように、その全部又は一部が管径の太い柔軟なジャバラ状の管１６Ｂから構成されるのが好適である。このようにジャバラ状の管１６Ｂで構成すれば自在に曲がり、伸縮させることもできるため使用者の動きを制限することもない。また、接続管１６を流れるガスミストが次第に液化してもジャバラの凹凸部にその液体を取り除くことが可能となる。
【００３６】
ガスミスト生成装置１１は、図５に示すように、液体１１９中にガス１１８を放出することにより、液体１１９とガス１１８とを粉砕溶解してガスミストを得る装置である。このガスミスト生成装置１１は、液体１１９を注入する液体注入口１１２と、液体注入口１１２から注入された液体１１９を貯留する貯留タンク１１３と、ガスボンベ１１７を開栓するための針が内部に設けられ、貯留タンク１１３内の液体１１９中にガス１１８を放出させるガス挿入部１１４と、液体１１９中にガス１１８が放出されることで発生するガスミスト１２０を取り出すためのガスミスト供給口１１５と、ガスボンベ１１７を固定すると共にガスボンベ１１７をガス挿入部１１４に押し当てるキャップ１１６と、から構成される。
【００３７】
ガスミスト１２０を得るためにはまず、液体注入口１１２から貯留タンク１１３内に摂氏４０度から７０度程度の液体１１９を注入する。次いで、ガス挿入部１１４にガスボンベ１１７を挿入する。キャップ１１６を締めることによりガスボンベ１１７は押し下げられ、キャップ１１６を完全に締めるとガスボンベ１１７はガス挿入部１１４内に設けられた針により開栓される。すると、ガス１１８が勢いよく液体１１９中に放出される。これによりガスミスト１２０が発生し、ガスミスト供給口１１５から接続管１６を介して内側マスク１３Ａ内に供給される。このとき生成されるミストの粒径は微細であることが望ましく、具体的には１０μｍ以下であるのが最適である。
【００３８】
ここで、貯留タンク１１３内に注入する液体１１９としては、水、イオン水、生理食塩水のほか、使用者の疾患、症状等に有効な薬剤を含有する液体を用いるのが良い。薬剤とは、例えば、抗アレルギー剤、抗炎症剤、解熱鎮痛剤、抗真菌剤、抗がん剤、抗不整脈剤、抗インフルエンザウィルス剤等が挙げられる。さらに、清涼作用のあるメンソールや、血行を促進させるビタミンＥ、皮膚組織に吸収されやすく美肌効果の高いビタミンＣ誘導体、皮膚の角化作用を正常にし粘膜を保護するレチノール、粘膜への刺激を和らげるための麻酔薬、臭気を除去するためのシクロデキストリン、殺菌、消炎効果のある光触媒とアパタイトの複合体、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合して、ガスの生理作用との相乗効果を生じさせることも可能である。さらに、炭酸塩と有機酸を主成分とする高濃度炭酸泉剤（有効成分の一例としては、硫酸塩、炭酸塩、有機酸、ジクロロイソシアヌル酸ナトリウム）を添加しても良い。
【００３９】
なお、ガスミスト生成装置１１の構成は上記に限定せず、様々な態様のものを用いることができる。例えばここではカートリッジ式の小型のガスボンベ１１７を例として用いたが、これに代えて業務用の大型ガスボンベ等にバルブを介して接続するようにしても良い。
【００４０】
コンプレッサ１２は、生体圧浴マスク１３の加圧層１５に圧縮空気を供給する。このとき供給される圧縮空気の空気圧は、１．０２〜２．５気圧程度とする。なお、コンプレッサ１２からの圧縮空気による加圧は常時行われるようにしても良いが、所定のインターバルでパルス状に行うことにより効果をさらに高めることができる。この際の加圧の間隔は、脈の拍動にほぼ同期させると効果が高くなる。
【００４１】
コンプレッサ１２としては、圧縮空気ボンベを用いる。このほか家庭で簡便に用いるのであれば、例えば家庭用布団乾燥機や手動の袋状の空気圧器（例えば、血圧計に用いられる手動の空気袋、又は浮き輪等の空気入れとして用いられる足踏みタイプの空気圧器）を用いても良い。また、コンプレッサ１２は、ヒータを備えるようにしても良い。これにより、コンプレッサ１２が供給する圧縮空気を温風にすることができる。
【００４２】
上記の実施形態によれば、生体圧浴マスクを二層構造としたため、ガスミストそのものの圧力を高める必要がなく、少量のガスで高効率に経皮吸収を促進することができる。さらに、生体圧浴マスクを生体の頭部全体を覆う頭巾形状としたため、頭部の広い範囲でガスミスト圧浴を行うことができる。
【００４３】
〔第２の実施形態〕
図６は、本発明の第２の実施形態に係るガスミスト圧浴装置の断面模式図、図７は、その生体圧浴マスクを実際に着用した状態を示す模式図である。なお、図６及び図７において、図１と同一の構成を有する部分には同じ符号を付して説明を省略する。
【００４４】
ここでは、主に顔面のみのガスミスト圧浴を目的とするガスミスト圧浴装置３０について説明する。図６及び図７に示すように、本実施形態に係る生体圧浴マスク３３は、顔面全体を覆うフェイスマスクの形状を有している。この生体圧浴マスク３３は、内側マスク３３Ａと外側マスク３３Ｂとから構成される。この内側マスク３３Ａと外側マスク３３Ｂは一体に形成されており、内側マスク３３Ａ内にはガスミスト生成装置１１からガスミストが供給され、外側マスク３３Ｂ内にはコンプレッサ１２から圧縮空気が供給される。これにより、内側マスク３３Ａと皮膚又は粘膜の間にはガスミスト層３４が、また内側マスク３３Ａと外側マスク３３Ｂとの間には圧縮空気からなる加圧層３５が形成される。加圧層３５は、ガスミスト層３４を外側から皮膚側に向かって加圧し、皮膚又は粘膜からのガスミストの吸収を促進させる。
【００４５】
図７に示すように、本実施形態では生体圧浴マスク３３が使用者１の顔面全体を覆い包む形状をしており、生体圧浴マスク３３の縁部にはガスミストの漏出を防ぐ止着部３８が設けられている。止着部３８は、適度な伸縮性があり使用者１の顔の縁にフィットする非通気非透湿性素材から構成される。使用者１の顔面全体を生体圧浴マスク３３が包む位置で止着部３８を止着して、内側マスク３３Ａ（ガスミスト層３４）内を密閉する。加圧層３５は、内側マスク３３Ａ及び外側マスク３３Ｂが止着部３８に接合されているため予め密閉性を有する構造となっている。ここで、止着部３８は、例えば、伸縮性のある面ファスナーにより構成されるのが好適である。このほか、止着部１８には紐やゴム等を単独、あるいは組み合わせて用いても良い。また、本実施形態では止着部３８の径が大きいため、止着部３８の内側面には、例えば粘弾性ゲルのような、使用者１の皮膚又は粘膜に粘着する素材を設けて特に密閉性を高める必要がある。また、空気圧による締め付けで止着できる構造としても良い。
【００４６】
本実施形態の生体圧浴マスク３３は、上記のような止着部３８のみでは確実に生体圧浴マスク３３を使用者１に固定することが難しいため、さらに止着ベルト４２が設けられている。止着ベルト４２は、例えばゴム等の伸縮性のある素材から構成される。止着ベルト４２の一端は生体圧浴マスク３３に固定され、他端はベルト止め部４３（例えばワンタッチバックル）により使用者１の後頭部で各々連結され、生体圧浴マスク３３の脱落を防止する。なお、上記のようなベルト止め部４３を有するゴムベルト以外にも、単に紐等を用いて適当な個所で結ぶ構成としても良い。また、生体圧浴マスク３３の上から伸縮性を有する止着用マスク（例えば生体圧浴マスク３３の開口４０、窓４１の位置に開口を有する、フルフェイスのマスク）を被ることにより生体圧浴マスク３３を固定するようにしても良く、要は生体圧浴マスク３３の脱落を防止できれば何を用いても良い。
【００４７】
生体圧浴マスク３３には、装着している間にも使用者１が呼吸できるよう、使用者１の鼻に当たる位置に開口４０が設けられている。また、開口４０の周囲には、生体圧浴マスク３３内の密閉性を保つために接着部３９が設けられている。接着部３９は、例えば粘弾性ゲルのような、使用者１の皮膚又は粘膜に粘着する素材から構成される。あるいは両面テープ等を使用の都度用いるように構成しても良い。使用の際は、まず使用者１の鼻孔の位置に開口４０を配置し、接着部３９を使用者１の鼻孔の周囲に粘着させて固定する。これにより使用者１の呼吸を確保すると共に開口４０からのガスミストの漏出を防ぐ。
【００４８】
生体圧浴マスク３３にはさらに、使用者１の視界を確保するための窓４１を設ける。窓４１は、透明又は半透明の非通気非透湿性素材からなり、使用者１の目に当たる位置に設けられる。なお、使用するガスが炭酸ガス又は酸素と炭酸ガスの混合ガスの場合は、鼻部と同様に開口及び接着部を設ける構造としても良い。
【００４９】
なお、図６に示すように内側マスク３３Ａには、一方端がガスミスト生成装置１１に接続された接続管１６の他端を接続するためのコネクタ３６Ａが設けられている。また、外側マスク３３Ｂにも、一方端がコンプレッサ１２に接続された接続管１７の他端を接続するためのコネクタ３７Ａが設けられている。なお、接続管１６、１７の端部には図示しないがそれぞれタップが形成されており、捻じ込み式又は嵌め込み式でコネクタ３６Ａ、３７Ａに接続することが可能である。
【００５０】
上記の実施形態によれば、生体圧浴マスクの形状を、特に顔面を覆うフェイスマスク状としたため、顔面に絞ったガスミスト圧浴を効率的に行うことができる。
【００５１】
〔第３の実施形態〕
図８は、本発明の第３の実施形態に係るガスミスト圧浴装置の断面模式図である。なお、図８において、図１と同一の構成を有する部分には同じ符号を付して説明を省略する。
【００５２】
ここでは、ガスミスト層のみを形成する生体圧浴マスクを有するガスミスト圧浴装置５０について説明する。図８に示すように、本実施形態に係る生体圧浴マスク５３は、使用者１の頭部（ここでは前頭部、頭頂部、後頭部、側頭部及び顔面）を覆い包む形状を有している。この生体圧浴マスク５３は、内部にガスミスト生成装置５１からガスミストが供給される。これにより、生体圧浴マスク５３と皮膚又は粘膜の間にはガスミスト層５４が形成される。このとき、ガスミスト生成装置５１からはガスミストが加圧されて（常時加圧、又はパルス状に加圧）導入され、皮膚又は粘膜からのガスミストの吸収を促進させる。
【００５３】
生体圧浴マスク５３には、着脱のための開口部に、ガスミストの漏出を防ぐ止着部５８が設けられている。止着部５８は、適度な伸縮性があり使用者１の首にフィットする非通気非透湿性素材から構成され、使用者１の首の位置で止着して、生体圧浴マスク５３（ガスミスト層５４）内を密閉する。ここで止着部５８は、例えば伸縮性のある面ファスナーにより構成されるのが好適である。止着部５８の内側面には、例えば粘弾性ゲルのような使用者１の皮膚又は粘膜に粘着する素材を設けて密閉性を高めても良い。このほか、止着部５８には紐やゴム等を単独、あるいは組み合わせて用いても良い。また、空気圧による締め付けで止着できる構造としても良い。
【００５４】
生体圧浴マスク５３には、装着している間にも使用者１が呼吸できるよう、使用者１の鼻に当たる位置に開口６０が設けられている。また、開口６０の周囲には、生体圧浴マスク５３内の密閉性を保つために接着部５９が設けられている。接着部５９は例えば粘弾性ゲルのような、使用者１の皮膚又は粘膜に粘着する素材から構成される。あるいは両面テープ等を使用の都度用いるように構成しても良い。使用の際は、まず使用者１の鼻孔の位置に開口６０を配置し、接着部５９を使用者１の鼻孔の周囲に粘着させて固定する。これにより使用者１の呼吸を確保すると共に開口６０からのガスミストの漏出を防ぐ。
【００５５】
生体圧浴マスク５３にはさらに、使用者１の視界を確保するための窓６１を設ける。窓６１は、透明又は半透明の非通気非透湿性素材からなり、使用者１の目に当たる位置に設けられる。なお、使用するガスが炭酸ガス又は酸素と炭酸ガスの混合ガスの場合は、鼻部と同様に開口及び接着部を設ける構造としても良い。
【００５６】
なお、図８に示すように生体圧浴マスク５３には、一方端がガスミスト生成装置５１に接続された接続管（ガスミスト供給管）５６の他端を接続するためのコネクタ５６Ａが設けられている。このコネクタ５６Ａの内部にはガスミストの逆流を防ぐための逆止弁が設けられている。接続管５６の端部には図示しないがタップが形成されており、捻じ込み式又は嵌め込み式でコネクタ５６Ａに接続することが可能である。また、接続管５６の内部にはガスミストの逆流を防ぐための逆止弁が設けられている。さらに、接続管５６には図示しないが、管内に付着する余分な液滴を取り除くための液滴除去フィルターが設けられている。また、ここでも接続管５６はその全部又は一部が管径の太い柔軟なジャバラ状の管で構成されるのが好適である。
【００５７】
上記の実施形態によれば、生体圧浴マスクを一層のみで形成したため、構造が単純化し、製造コストを抑制することができる。
【００５８】
以上、本発明について詳細に説明したが、上記のガスミスト圧浴装置によれば、単にガスミストを生体頭部の皮膚又は粘膜に接触させるのではなく、所定の圧力値以上で接触させるため、皮膚又は粘膜からのガスミストの吸収効率を従来と比較して著しく向上させることができる。特に、生体頭部を覆う生体圧浴マスクを二層構造にすれば、加圧が容易になるだけではなく、ガスミストそのものの圧力を高める必要がないので大量のガスを必要とせずに経皮吸収を促進することができる。
【００５９】
なお、上記実施形態では、頭巾のように前頭部、頭頂部、後頭部、側頭部及び顔面を覆う生体圧浴マスク（第１、第３の実施形態）及び、顔面のみを覆う生体圧浴マスク（第２の実施形態）について述べたが、本発明では上記の形状のほか、シャワーキャップのように頭髪を覆う形状の生体圧浴マスク、あるいは頭部の一部のみ（例えば、後頭部のみ等）を覆う形状の生体圧浴マスク等、様々な形状の生体圧浴マスクが考えられる。そしてこれらは、第１の実施形態のように生体圧浴マスクが二層構造であっても良いし、第３の実施形態のように一層構造であっても良い。
【００６０】
また上記実施形態では、使用者の呼吸を確保するために使用者の鼻の位置に開口を設けるものとしたが、このほかに例えば開口を使用者の口の位置（あるいは鼻と口双方）に設けても良いし、開口の代わりに鼻孔又は口に挿入して呼吸を可能にするチューブを設ける等、様々な態様が適用できる。さらに、使用者の視界を確保するための窓は必ずしも設ける必要はないが、第１、第２の実施形態で示したように生体圧浴マスクが二層構造の場合でも一枚の窓を設けるようにしても良いし、内側マスク及び外側マスクの双方に窓を設けて二層の窓となるようにしても良い。
【００６１】
このように、本発明は上記実施形態に限定されるものではなく、本発明の趣旨に基づき種々の変形が可能であり、これらを本発明の範囲から排除するものではない。
【産業上の利用可能性】
【００６２】
本発明は、炭酸ガス、酸素、又は炭酸ガスと酸素の混合ガスを生体の皮膚又は粘膜に直接接触させて血液循環を改善させるためのガスミスト圧浴装置に関し、産業上の利用可能性を有する。
【符号の説明】
【００６３】
１  使用者
２  皮膚又は粘膜
１０、３０、５０  ガスミスト圧浴装置
１１、５１  ガスミスト生成装置
１２  コンプレッサ
１３、３３、５３  生体圧浴マスク
１３Ａ、３３Ａ  内側マスク
１３Ｂ、３３Ｂ  外側マスク
１４、３４、５４  ガスミスト層
１５、３５  加圧層
１６、１７、５６  接続管
１６Ａ、１７Ａ、３６Ａ、３７Ａ、５６Ａ  コネクタ
１６Ｂ  ジャバラ状の管
１８、３８、５８  止着部
１９、３９、５９  接着部
２０、４０、６０  開口
２１、４１、６１  窓
４２  止着ベルト
４３  ベルト止め部
１１２  液体注入口
１１３  貯留タンク
１１４  ガス挿入部
１１５  ガスミスト供給口
１１６  キャップ
１１７  ガスボンベ
１１８  ガス
１１９  液体
１２０  ガスミスト
【図１】
0005389175.tif 000002
【図２】
0005389175.tif 000003
【図３】
0005389175.tif 000004
【図４】
0005389175.tif 000005
【図５】
0005389175.tif 000006
【図６】
0005389175.tif 000007
【図７】
0005389175.tif 000008
【図８】
0005389175.tif 000009
【図９】
0005389175.tif 000010